(57)【要約】【課題】同じ姿勢で長時間座り続けていると、脊柱と腰部の筋肉が常に姿勢を維持しようと繰り返し働いて、筋肉が緊張して血液の循環が悪くなり、腰痛やしびれ、コリの原因となってしまうのが問題である。【解決手段】本発明の柔軟運動座布団１は袋状の表面生地２と内部の緩衝材４とその内側に設けた内部緩衝材４よりも硬い芯材３からなり、形状は円柱状で曲面を座面とし、股間８部で身体を支え、座った状態で腰部の仙骨９と脊柱１０の傾きを前後左右、斜めに自由に大きく動かしやすいことを特徴とし、柔軟な運動が行え、椎間関節や筋肉の緊張と緩和を図ることを目的とした座布団。【選択図】          図３
2004242862.tif 000002
【特許請求の範囲】
【請求項１】
円柱状に形成した袋状の表面生地とその内部に充填した緩衝材からなる座布団において、前記円柱状の断面中央位置に略片方の端部からもう一方の略端部まで横位置に配し、棒状で可塑性を有した芯材で、その芯材よりも柔らかい緩衝材を芯材の周りに包み込んだ形態からなる緩衝積層体とし、円柱状に形成した袋状の表面生地内部に緩衝積層体を充填したことを特徴とする座布団。
【請求項２】
前記円柱状の形状が長い手方向に直角に曲がったＬ字型の形状を特徴とする請求項１記載の座布団。
【請求項３】
前記形状において、座面が曲面で底部が平面のかまぼこ型の形状を特徴とする請求項１記載の座布団。
【請求項４】
前記形状において、周囲を平面状とし、その中央部にかまぼこ状の座部を設けた形状を特徴とする請求項１記載の座布団。
【請求項５】
前記形状において、表面生地形状が犬や猫、あざらし等の動物の形態や大根やニンジン等の野菜の形態、そして物の形態を視覚的に演出した形状を特徴とする請求項１記載の座布団。
【請求項６】
形状が請求項１から６までの座面にポケットを設け、カイロが収納でき、股間部を暖めることができる特徴を有する座布団。
【発明の詳細な説明】
【０００１】
【発明の属する技術分野】
本発明の柔軟運動座布団は股間で身体を支え、座りながら自由な方向に腰部を動かしやすくしたことを特徴とし、柔軟な運動ができる座布団に関する。
【０００２】
【従来の技術】
座布団は柔らかく、座り心地がよく、又、長時間姿勢を維持するために坐骨底部で身体を支え、骨盤の傾きを固定、確保し、姿勢を正しく矯正した目的のものが一般的である。
【０００３】
【発明が解決しようとする課題】
同じ姿勢を長時間続けて座っていると姿勢が崩れて、前かがみになり内臓を圧迫したり、腰椎に負担をかけてしまう。また、姿勢を正して座っていると頭を支える脊柱と腰部の筋肉が常に姿勢を維持しようと繰り返し働いて筋肉が緊張し、血液の循環が悪くなり、腰痛やしびれ、コリの原因となってしまう問題がある。
【０００４】
本発明は股間（骨盤底部の肛門、会陰、海綿体筋、内転筋を示す。）部で身体を支え、これを支点として座りながら骨盤の傾きを変えられるように自由に動かしやすくした事を特徴とし、柔軟な運動を行ない、椎間関節や筋肉の緊張と緩和を図ることを目的とする。
【０００５】
【課題を解決するための手段】
円柱状に形成した袋状の表面生地とその内部に充填した緩衝材からなる座布団において、前記円柱状の断面中央位置に略片方の端部からもう一方の略端部まで横位置に配し、棒状で可塑性を有した芯材で、その芯材よりも柔らかい緩衝材を芯材の周りに包み込んだ形態からなる緩衝積層体とし、円柱状に形成した袋状の表面生地内部に緩衝積層体を充填したことを特徴とする座布団。
【０００６】
請求項２の発明においては、前記円柱状の形状が長い手方向に直角に曲がったＬ字型の形状を特徴とする請求項１記載の座布団。
【０００７】
請求項３の発明においては、前記形状において、座面が曲面で底部が平面のかまぼこ型の形状を特徴とする請求項１記載の座布団。
【０００８】
請求項４の発明においては、前記形状において、周囲を平面状とし、その中央部にかまぼこ状の座部を設けた形状を特徴とする請求項１記載の座布団。
【０００９】
請求項５の発明においては、前記形状において、表面生地形状が犬や猫、あざらし等の動物の形態や大根やニンジン等の野菜の形態、そして物の形態を視覚的に演出した形状を特徴とする請求項１記載の座布団。
【００１０】
請求項６の発明においては、形状が請求項１から６までの座面にポケットを設け、カイロが収納でき、股間部を暖めることができる特徴を有する座布団。
【００１１】
【発明の実施の形態】
以下に発明の実施の形態を図に基づき説明する。
【００１２】
一般的な座布団は柔らかく、座り心地が良い。又、長時間姿勢を維持する為に坐骨底部で身体を支え、骨盤の傾きを固定、確保し、姿勢を正しく矯正しているものが多い。
腰は身体の中心で仙骨９で脊柱１０を支えている重要な部分である。脊柱は座っていても常に揺れて姿勢を維持するために常に筋肉が脊柱と腰部に働いている。
姿勢を長時間維持し座り続けると、やがて筋肉は疲労を起こしてしまう。  緊張した筋肉は血液の循環が悪くなり、腰痛やしびれ、コリの原因となってしまうことがある。また、頚部のコリも誘発する。
【００１３】
これに対して、本発明の柔軟運動座布団１は腰部を動かないように固定して姿勢を矯正するのではなく、座りながら股間（骨盤底部の肛門、会陰、海綿体筋、内転筋を表す）８部を支点にして、腰部（仙椎と腰椎）を前後左右そして斜めに、またひねったりして、どの方向にも大きく自由に動かせる事を特徴とし、柔軟な運動が容易にできる。
腰部の椎間関節や筋肉を伸ばしたり、緊張させたり、又、緩和させて血液の循環を良くし、腰痛やコリが起こりにくくする事を目的とした座布団である。
【００１４】
図１断面図において、請求項１の柔軟運動座布団１は、円柱状に形成した袋状の表面生地２とその内部に充填した緩衝材４からなる座布団において、前記円柱状の断面中央位置に略片方の端部からもう一方の略端部まで横位置に配し、棒状で可塑性を有した芯材３である。
芯材３は平面状のウレタンゴムやフェルト、綿等をロール状にかたく巻いた物を使用した。表面生地２はアクリルや塩化ビニール、レザー等である。
緩衝材４は発泡ウレタンやスポンジ等である。
その芯材３よりも柔らかい緩衝材４を芯材３の周りに包み込んだ形態からなる緩衝積層体を特徴とし、円柱状に形成した袋状の表面生地２内部に緩衝積層体を充填した座布団で股間８部をしっかりと支えられるものとする。
柔軟運動座布団１の形状は円柱状図２とし、図３の断面図のように横位置で曲面部を座面とし、馬乗り状態に座ることができる。
緩衝材４は股間８部を柔らかく受けとめ、芯材３は少しへこむ硬さであるが、身体の重みでつぶれてしまう柔らかさでもなく、しっかりと股間８部を支持できる硬さで、腰部の運動時に股間を受けとめることができる。。
【００１５】
図１４は柔軟運動座布団１に座った状態で、背面から腰部の動きを説明した図である。
アは正しい姿勢で馬乗り状態に股間８部で座り、仙骨９、脊柱１０、頭１１をまっすぐに保った状態を示す。  イは股間８部を左にずらし、仙骨９を傾けて脊柱１０の腰椎を曲げた状態を示す。  ウは股間８部を右にずらし、仙骨９を傾けて脊柱１０の腰椎を曲げた状態を示す。
【００１６】
図１５は柔軟運動座布団１に座った状態の側面から腰部の動きを説明した図である。
アは正しい姿勢の状態で股間８部で座り、仙骨９、脊柱１０、頭１１の位置の状態を示す。
イは仙骨９の傾きをアの姿勢よりも後に傾けた場合の仙骨９と脊柱１０、頭１１の状態を示す。
ウは仙骨９の傾きをアの姿勢よりも前に傾けた場合の仙骨９と脊柱１０、頭１１の状態を示す。
【００１７】
図４において、請求項２の柔軟運動座布団１は円柱状で内部芯材３共長い方向に直角に曲がったＬ字型とし、図５のように人５がまたがって座り、両手で抱きかかえることができる請求項１に記載の柔軟運動座布団である。
柔軟運動座布団１をＬ字型に発展させたことで図５のように人５が座った姿勢で腰を前後左右に自由に動かすときに身体の正面で手で支えられるようにしたことで図１４、図１５のように柔軟な運動がより大きく楽にできるようになった。
【００１８】
図６において、請求項３の柔軟運動座布団１は、座面が曲面で底部が平面状のかまぼこ状で図７のような円柱の小口を半分にカットした半円の断面とし、請求項１に記載の柔軟運動座布団である。
請求項１の円柱状の柔軟運動座布団１は図７の椅子の座面１２に置いたときに転がり落ちる可能性がある為、転がり落ちないように底部を平面とし、安定させたものである。  椅子の座面に置くことで、馬にまたがるときのように股間８部で身体を支えて、仙骨９の角度を大きく動かすことができる。
【００１９】
図９において、請求項４の柔軟運動座布団１は周囲を平面状とし、その中央部にかまぼこ状の座部を設けた形状を特徴とする請求項１記載の座布団である。
座ったときに脚部が直接床に触れずに座部周囲の平面状の緩衝材４上に載せられるように発展させたものである。
【００２０】
図１０において、請求項５の柔軟運動座布団１は表面生地２が犬や猫、あざらしなどの動物や、図１１のように大根やニンジンなどの野菜の形態をなしている。また、物の形等を視覚的に演出した形状の特徴を有し、請求項１記載の座布団である。
【００２１】
図１２において、請求項６の柔軟運動座布団１は請求項１から５までの形態と特徴を有し、座面にポケット６を設け、カイロ７を収納でき、股間８部を暖めることができる座布団である。図１３は断面図である。
【００２２】
【発明の効果】
本発明の柔軟運動座布団は股間部で身体を支え、ここを支点に座った状態で、自由に腰部（仙椎と腰椎）を大きく動かしやすくした特徴があり、柔軟な運動ができ、椎間関節や筋肉を伸ばし、緊張と緩和をさせる効果がある。
【図面の簡単な説明】
【図１】請求項１の柔軟運動座布団のＡ〜Ａ断面図
【図２】請求項１の柔軟運動座布団の斜視図
【図３】請求項１の柔軟運動座布団にすわった状態の断面説明図
【図４】請求項２の柔軟運動座布団の斜視図
【図５】請求項２の柔軟運動座布団に座った状態の斜視図
【図６】請求項３の柔軟運動座布団の斜視図
【図７】請求項３の柔軟運動座布団のＡ〜Ａ断面図
【図８】請求項３の柔軟運動座布団の椅子の座面に置いた状態の斜視図
【図９】請求項４の柔軟運動座布団の斜視図
【図１０】請求項５の表面生地が動物の形態をした斜視図
【図１１】請求項５の表面生地が野菜の形態をした斜視図
【図１２】請求項６の柔軟運動座布団の斜視図
【図１３】請求項６の柔軟運動座布団の断面図
【図１４】背面からみた腰部の運動説明図  アは正しい姿勢  イは左に傾斜  ウは右に傾斜
【図１５】側面からみた腰部の運動説明図  アは正しい姿勢  イは仙骨の後傾姿勢  ウは仙骨の前傾姿勢
【符号の説明】
１      柔軟運動座布団
２      表面生地
３      芯材
４      緩衝材
５      人
６      ポケット
７      カイロ
８      股間
９      仙骨
１０    脊柱
１１    頭
１２    椅子
【図１】
2004242862.tif 000003
【図２】
2004242862.tif 000004
【図３】
2004242862.tif 000005
【図４】
2004242862.tif 000006
【図５】
2004242862.tif 000007
【図６】
2004242862.tif 000008
【図７】
2004242862.tif 000009
【図８】
2004242862.tif 000010
【図９】
2004242862.tif 000011
【図１０】
2004242862.tif 000012
【図１１】
2004242862.tif 000013
【図１２】
2004242862.tif 000014
【図１３】
2004242862.tif 000015
【図１４】
2004242862.tif 000016
【図１５】
2004242862.tif 000017